(57)【要約】【課題】容器内の飲料を衛生的に、かつ一滴も残すことなく最後まで飲み干すことができるストロー付き飲料容器およびストローを提供する。【解決手段】飲料容器１中に飲料とともにストロー３を封入したストロー付き飲料容器であって、前記ストロー３の一部には、長さ方向に伸縮可能な伸縮部４が形成されており、この伸縮部４の弾発下でストロー３の下端部が常に飲料容器１の底面部１ａに向けて押圧され、ストロー３の下端部が常時、容器の底面部１ａに接する状態としてある構造としたストロー付き飲料容器と、この飲料容器内に封入されるストローであって、ストロー３の一部に長さ方向に伸縮可能な伸縮部４を形成したものとした。【選択図】図１
0003129337.tif 000002
【実用新案登録請求の範囲】
【請求項１】
飲料容器中に飲料とともにストローを封入したストロー付き飲料容器であって、前記ストローの一部には、長さ方向に伸縮可能な伸縮部が形成されており、この伸縮部の弾発下でストローの下端部が常に飲料容器の底面部に向けて押圧され、ストローの下端部が常時、容器の底面部に接する状態としてあることを特徴とするストロー付き飲料容器。
【請求項２】
ストローは、飲料容器をキャップで蓋をした時はキャップに押されて伸縮部が縮んだ状態で飲料容器内に封入され、キャップを外した時は伸縮部が伸びた状態でストローの上端部が飲料容器の口部より飛び出すよう構成されていることを特徴とする請求項１に記載のストロー付き飲料容器。
【請求項３】
ストローの上方部には突起が形成されており、ストローの上部が飲料容器の口部より飛び出すとともに、前記突起が飲料容器の肩部に係止した状態となって、ストローの上部の飛び出し量が規制される構造としてあることを特徴とする請求項１または２に記載のストロー付き飲料容器。
【請求項４】
飲料容器の肩部に、外したキャップを保持するためのキャップ保持部が突設されていることを特徴とする請求項１〜３のいずれかに記載のストロー付き飲料容器。
【請求項５】
飲料容器内に封入されるストローであって、ストローの一部に長さ方向に伸縮可能な伸縮部が形成されており、この伸縮部の弾発下でストローの下端部が常に飲料容器の底面部に向けて押圧されることにより、ストローの下端部が常時底面部に接する状態となることを特徴とするストロー。
【請求項６】
上方部に蛇腹状の折り曲げ自在部を形成したことを特徴とする請求項５に記載のストロー。
【請求項７】
ストローの外径は飲料容器の口部の内径と等しく、ストロー上方部には飲料容器の口部内周面との間に隙間を形成するための空気抜き部が形成されていることを特徴とする請求項５または６に記載のストロー。
【考案の詳細な説明】
【技術分野】
【０００１】
本考案は、容器内の飲料を衛生的に、かつ一滴も残すことなく最後まで飲み干すことができるストロー付き飲料容器およびストローに関するものである。
【背景技術】
【０００２】
従来から、飲料容器中の飲料をストローやコップの用意がなくても飲料容器に直接口をつけることなく衛生的に飲めるように、予めストローが飲料容器中に飲料とともに封入されているストロー付き飲料容器が、例えば特許文献１〜特許文献２に示されるように多数提案されている。
【０００３】
しかしながら、従来のストロー付き飲料容器の場合は、一滴も残すことなく最後まで飲み干すことは難しいという問題点があった。また、キャップを外した時にストローの上端部が自動的に飲料容器の口部より飛び出すよう構成されているものもあったが、この場合ストローの飛び出しは何ら規制されていないため、勢い余って脱落したり、顔に当たる危険性を有する等の問題点があった。
【特許文献１】特開平２００１−１２２７１号公報
【特許文献２】特開平２００１−６１６３０号公報
【考案の開示】
【考案が解決しようとする課題】
【０００４】
本考案は上記のような問題点を解決して、一滴も残すことなく最後まで飲み干すことができ、またストローの飛び出しも規制されていて安全性が高く使い勝手にも優れているストロー付き飲料容器を提供することを目的として完成されたものである。
【課題を解決するための手段】
【０００５】
上記課題を解決するためになされた本考案は、飲料容器中に飲料とともにストローを封入したストロー付き飲料容器であって、前記ストローの一部には、長さ方向に伸縮可能な伸縮部が形成されており、この伸縮部の弾発下でストローの下端部が常に飲料容器の底面部に向けて押圧され、ストローの下端部が常時、容器の底面部に接する状態としてあることを特徴とするとするストロー付き飲料容器を第１の考案とする。
【０００６】
前記ストローは、飲料容器をキャップで蓋をした時はキャップに押されて伸縮部が縮んだ状態で飲料容器内に封入され、キャップを外した時は伸縮部が伸びた状態でストローの上端部が飲料容器の口部より飛び出すよう構成することが好ましい。
また、ストローの上方部には突起が形成されており、ストローの上部が飲料容器の口部より飛び出すとともに、前記突起が飲料容器の肩部に係止した状態となって、ストローの上部の飛び出し量が規制される構造とすることが好ましい。
更に、飲料容器の肩部に、外したキャップを保持するためのキャップ保持部を突設することもできる。
【０００７】
また、飲料容器内に封入されるストローであって、ストローの一部に長さ方向に伸縮可能な伸縮部が形成されており、この伸縮部の弾発下でストローの下端部が常に飲料容器の底面部に向けて押圧されることにより、ストローの下端部が常時底面部に接する状態となることを特徴とするストローを第２の考案とする。
前記ストローの上方部に蛇腹状の折り曲げ自在部を形成することも好ましく、更にストローの外径は飲料容器の口部の内径と等しく、ストロー上方部には飲料容器の口部内周面との間に隙間を形成するための空気抜き部を形成することも好ましい。
【考案の効果】
【０００８】
本考案では、ストローの一部に、長さ方向に伸縮可能な伸縮部が形成されており、この伸縮部の弾発下でストローの下端部が常に飲料容器の底面部に向けて押圧され、ストローの下端部が常時、容器の底面部に接する状態としたので、一滴も残すことなく最後まで飲み干すことができ、またストローの飛び出しも規制されていて安全性が高く使い勝手にも優れたものとなる。
【考案を実施するための最良の形態】
【０００９】
以下に、図面を参照しつつ本考案の好ましい実施の形態を示す。
図１は蓋をした状態を示す断面図、図２は蓋を外した状態を示す断面図であり、図中、１はＰＥＴ製の飲料容器、２は容器の口部を開閉するネジ式のキャップである。また、この容器１内には飲料とともにストロー３が封入してある。
前記ストロー３の一部には、長さ方向に伸縮可能な伸縮部４が形成されており、この伸縮部４の弾発下でストロー３の下端部が常に飲料容器１の底面部１ａに向けて押圧され、ストロー３の下端部が常時、容器の底面部１ａに接する状態となるように構成されている。これにより、常に容器内に飲料を一滴も残すことなく最後まで飲み干すことができる。
なお、前記伸縮部４は図示の例ではストローの一部をコイルばね状に形成したものとなっているが、その他蛇腹状のものやトーッションばね状のもの等任意の形状とすることができる。
【００１０】
このストロー３は、図１〜２に示すように、飲料容器１をキャップ２で蓋をした時はキャップに押されて伸縮部４が縮んだ状態で飲料容器内に封入され、一方、キャップ２を外した時は伸縮部４が伸びた状態でストロー３の上端部が飲料容器の口部より飛び出し、飲み口を形成するよう構成されている。
【００１１】
また、図３に示すように、ストロー３の上方部にはリング状の突起５が形成されており、ストロー３の上部が飲料容器１の口部より飛び出すとともに、前記突起５が飲料容器１の肩部１ｃの縮径した内壁面に係止した状態となって、ストロー３の上部の飛び出し量が規制される構造としてある。
これにより、ストロー３が勢い余って飛び出すことを防止してストローの脱落を防ぐとともに、ストロー先端部が顔に当たる危険性等を回避することができる。
【００１２】
また、飲料容器１の肩部には、外したキャップ２を保持するためのキャップ保持部６が突設されており、このキャップ保持部６にキャップ２を嵌合して保持させることで、キャップの紛失を防止できるよう構成されている。なお、このキャップ紛失を防止機構は、図４に示されるように、キャップ２に設けた環部２ａと飲料容器１の肩部に設けた環部１ｂとを紐等で連結する構造としてもよい。
【００１３】
次に、図５に本考案のストローを示す。
本考案のストローは、飲料容器内に封入されるものであって、ストロー３の一部に長さ方向に伸縮可能な伸縮部４が形成されており、この伸縮部４の弾発下でストローの下端部が常に飲料容器１の底面１ａに部向けて押圧されることにより、ストローの下端部が常時底面部に接する状態となるよう構成されている。
また、ストロー３の上方部には蛇腹状の折り曲げ自在部７が形成されており、上端飲み口の角度を使用者に合わせて自由に変更できるよう構成されている。
【００１４】
また、図６に示すように、ストロー３の外径は飲料容器１の口部の内径とほぼ等しいものとなっており、中身の漏れ防止が図られている。これと同時に、ストロー上方部には飲料容器１の口部内周面との間に隙間を形成するための空気抜き部８が形成されており、中身の吸い上げを容易にしている。
【００１５】
なお、ストロー３の外径と飲料容器１の口部の内径とに大きな差がある場合は、飲料容器口部内にストロー貫通孔９を有するシリコンゴム等の弾力部材からなるブッシュ部材１０を装着することもできる（図７、図８を参照）。
このブッシュ部材１０は、部材自身の持つ弾力性によって、容器口部内に自在に着脱することが可能であり、更に着脱を容易にするには筒部を先細テーパ形状としたり、筒部内部をリング状の薄板体をＶ字状に折り曲げた二重壁構造としたりすることもできる。このブッシュ部材１０を装着した場合は、容器口部内に挿入したブッシュ部材１０の下端部においてストロー３の突起５が係止し、ストロー３の上部の飛び出し量が規制されることとなる。
【００１６】
以上の説明からも明らかなように、本考案は一滴も残すことなく最後まで飲み干すことができ、またストローの飛び出しも規制されていて安全性が高く使い勝手にも優れているストロー付き飲料容器を提供するものである。
更には、本考案ではキャップを外せばストローが自動的に容器口部より飛び出し、使用後はキャップの内側を利用して押し込むことで再び容器内へ収納させることができるため、指を直接接触することなくストローの出入りを行えることとなり、衛生的にも優れているという利点も有する。
【図面の簡単な説明】
【００１７】
【図１】蓋をした状態の本考案の実施の形態を示す断面図である。
【図２】蓋を外した状態の本考案の実施の形態を示す断面図である。
【図３】本考案の要部を示す断面図である。
【図４】その他の考案のストローを示す正面図である。
【図５】本考案の実施の形態を示す正面図である。
【図６】本考案の口部を示す平面図である。
【図７】ブッシュ部材を示す斜視図である。
【図８】その他の実施の形態を示す断面図である。
【符号の説明】
【００１８】
１  飲料容器
２  キャップ
３  ストロー
４  伸縮部
５  突起
６  キャップ保持部
７  折り曲げ自在部
８  空気抜き部
９  ストロー貫通孔
１０  ブッシュ部材
【図１】
0003129337.tif 000003
【図２】
0003129337.tif 000004
【図３】
0003129337.tif 000005
【図４】
0003129337.tif 000006
【図５】
0003129337.tif 000007
【図６】
0003129337.tif 000008
【図７】
0003129337.tif 000009
【図８】
0003129337.tif 000010